(57)【要約】【課題】点灯時における見栄えを向上させた照明器具を提供する。【解決手段】照明器具Ａは、長尺状に形成された器具本体１と、器具本体１に対して着脱自在に取り付けられる光源ユニット２とを備え、器具本体１の一面には、器具本体１の長手方向に沿って収容凹部１１が設けられている。光源ユニット２は、複数のＬＥＤ２２２が実装されたＬＥＤ基板２２と、ＬＥＤ基板２２を器具本体１に取り付けるための取付部材２１と、拡散性を有し複数のＬＥＤ２２２を覆うようにして取付部材２１に取り付けられるカバー部材２３とを有する。カバー部材２３は、光源ユニット２を器具本体１に取り付けた状態で、器具本体１の長手方向及び幅方向と直交する方向において器具本体１の収容凹部１１の開口端縁と重なる延出部２３２が設けられている。【選択図】図１
2014078422.tif 000002
【特許請求の範囲】
【請求項１】
長尺状に形成された器具本体と、前記器具本体に対して着脱自在に取り付けられる光源ユニットとを備え、
前記器具本体の一面には、前記器具本体の長手方向に沿って収容凹部が設けられており、
前記光源ユニットは、複数のＬＥＤが実装されたＬＥＤ基板と、前記複数のＬＥＤが前記収容凹部の外側を向くようにして前記ＬＥＤ基板を前記器具本体に取り付けるための取付部材と、拡散性を有し前記複数のＬＥＤを覆うようにして前記取付部材に取り付けられるカバー部材とを有し、
前記カバー部材は、前記光源ユニットを前記器具本体に取り付けた状態で、前記器具本体の長手方向及び幅方向と直交する方向において前記収容凹部の開口端縁と重なる延出部が設けられていることを特徴とする照明器具。
【請求項２】
前記カバー部材は、前記器具本体の幅方向における両端側から中央側に行くほど前記器具本体の長手方向及び幅方向と直交する方向への突出量が大きくなるように形成されていることを特徴とする請求項１記載の照明器具。
【請求項３】
前記器具本体は、前記光源ユニットを前記器具本体に取り付けた状態で、前記カバー部材の傾斜面に連続する傾斜面が設けられていることを特徴とする請求項２記載の照明器具。
【発明の詳細な説明】
【技術分野】
【０００１】
本発明は、照明器具に関するものである。
【背景技術】
【０００２】
従来より、天井に取り付けられる天井直付け型の照明器具が提供されている（例えば特許文献１参照）。この照明器具は、横長且つ長尺状に形成された器具本体と、係止部材を用いて器具本体に取り付けられる光源部とを備え、器具本体の略中央部には光源部を収容するための収容凹部が全長に亘って設けられている。また光源部は、横長且つ長尺状に形成された取付部材と、複数の発光素子がそれぞれ実装され取付部材の下面に並べて取り付けられる複数の基板と、複数の基板を覆うようにして取付部材に取り付けられるカバー部材とを有する。そして、一体に組み付けられた光源部は、その一部が器具本体の収容凹部に収容された状態で係止部材を用いて器具本体に取り付けられる。
【先行技術文献】
【特許文献】
【０００３】
【特許文献１】特開２０１２−３９９３号公報
【発明の概要】
【発明が解決しようとする課題】
【０００４】
上述の特許文献１に示した照明器具では、光源部を器具本体に取り付けた状態でカバー部材と収容凹部との間に隙間が生じ、光源部を点灯させた際には隙間部分がスジ状に暗くなるため、照明器具を見上げたときの見栄えが良くなかった。
【０００５】
本発明は上記問題点に鑑みて為されたものであり、その目的とするところは、点灯時における見栄えを向上させた照明器具を提供することにある。
【課題を解決するための手段】
【０００６】
本発明の照明器具は、長尺状に形成された器具本体と、器具本体に対して着脱自在に取り付けられる光源ユニットとを備える。器具本体の一面には、器具本体の長手方向に沿って収容凹部が設けられている。光源ユニットは、複数のＬＥＤが実装されたＬＥＤ基板と、複数のＬＥＤが収容凹部の外側を向くようにしてＬＥＤ基板を器具本体に取り付けるための取付部材と、拡散性を有し複数のＬＥＤを覆うようにして取付部材に取り付けられるカバー部材とを有する。カバー部材は、光源ユニットを器具本体に取り付けた状態で、器具本体の長手方向及び幅方向と直交する方向において収容凹部の開口端縁と重なる延出部が設けられている。
【０００７】
この照明器具において、カバー部材は、器具本体の幅方向における両端側から中央側に行くほど器具本体の長手方向及び幅方向と直交する方向への突出量が大きくなるように形成されているのが好ましい。
【０００８】
また、この照明器具において、器具本体は、光源ユニットを器具本体に取り付けた状態で、カバー部材の傾斜面に連続する傾斜面が設けられているのも好ましい。
【発明の効果】
【０００９】
光源ユニットを器具本体に取り付けた状態では、器具本体の長手方向及び幅方向と直交する方向においてカバー部材の延出部が器具本体の収容凹部の開口端縁に重なるようになっており、カバー部材と収容凹部との間に隙間が生じないので、光源ユニットを点灯させた際にスジ状に暗くなることがなく、点灯時における見栄えを向上させた照明器具を提供することができるという効果がある。
【図面の簡単な説明】
【００１０】
【図１】本実施形態の照明器具の一例を示す断面図である。
【図２】同上の分解斜視図である。
【図３】同上の全体斜視図である。
【図４】同上から光源ユニットを取り外した状態の斜視図である。
【図５】同上の別の例を示す断面図である。
【発明を実施するための形態】
【００１１】
以下に、照明器具Ａの実施形態について図１〜図５を参照して説明する。なお、以下の説明では特に断りがない限り、図１に示す向きにおいて上下左右の方向を規定し、さらに図１中の紙面に垂直な方向を前後方向と規定して説明を行う。
【００１２】
本実施形態の照明器具Ａは、図１〜図４に示すように、天井直付け型の照明器具であり、吊ボルト２００（図１参照）を用いて天井材１００に取り付けられる器具本体１と、器具本体１に対して着脱自在に取り付けられる光源ユニット２とを備える。
【００１３】
器具本体１は、板金に曲げ加工を施すことで長尺且つ上面（天井材１００との対向面）が開口する扁平な箱状に形成され、天井材１００と反対側（つまり下側）には光源ユニット２を収容するための矩形の収容凹部１１が器具本体１の全長に亘って設けられている。また、器具本体１の左右方向（幅方向）において収容凹部１１の両側には、収容凹部１１の開口端縁から延出し且つ外側に行くほど上側（天井材１００側）に傾斜する傾斜面１２，１２がそれぞれ設けられている。また、収容凹部１１の底面部１１１には、電線を通すための孔１１１ａが前後方向（長手方向）に沿って複数（図２では５個）設けられており、さらに吊ボルト２００を通すための孔１１１ｂが前後方向における両端寄りに位置にそれぞれ２個ずつ設けられている。さらに、器具本体１の前後方向における両端部には、図２〜図４に示すように、エンドキャップ３がそれぞれ取り付けられている。
【００１４】
光源ユニット２は、図２に示すように、複数（図２では２個）のＬＥＤ基板２２と、ＬＥＤ基板２２が取り付けられる取付部材２１と、ＬＥＤ基板２２を覆うようにして取付部材２１に取り付けられるカバー部材２３と、ＬＥＤ基板２２に所定の点灯電力を供給する電源装置２４と、端子台ブロック２５とを有する。
【００１５】
ＬＥＤ基板２２は、前後方向に長い矩形板状に形成されたプリント基板２２１からなり、プリント基板２２１の下面には複数のＬＥＤ（発光ダイオード）２２２が前後方向（長手方向）に沿って実装されている。また、一方（図２中の右側）のＬＥＤ基板２２の一端部（右端部）には、電源装置２４との間を電気的に接続するためのコネクタ２２３が実装されている。このコネクタ２２３には電線（図示せず）が接続されており、この電線の端部を電源装置２４に接続することでＬＥＤ基板２２と電源装置２４とが電気的に接続される。また、各ＬＥＤ基板２２において隣接するＬＥＤ基板２２と対向する端部には、電源供給用のコネクタ２２４がそれぞれ実装されている。そして、両ＬＥＤ基板２２，２２のコネクタ２２４，２２４を接続することで、一方（図２中の右側）のＬＥＤ基板２２から他方（図２中の左側）のＬＥＤ基板２２に電源を供給することができる。
【００１６】
取付部材２１は、板金に曲げ加工を施すことでＵ字状に形成され、長尺且つ矩形板状に形成された底面部２１１と、底面部２１１の左右方向（幅方向）における両端から上下方向（底面部２１１と直交する方向）に延出する一対の側面部２１２とで構成される。各側面部２１２の先端には、図１に示すように、互いに離れる方向に傾斜する傾斜部２１２ａがそれぞれ全長に亘って設けられている。底面部２１１の前後方向（長手方向）における一端部（図２中の右端部）には、ＬＥＤ基板２２と電源装置２４とを電気的に接続する上記電線を通すための孔２１１ａが設けられている。また、底面部２１１の前後方向における略中央には、底面部２１１の一部を上向きに突出させることで形成された矩形の凹部２１１ｂが設けられている。この凹部２１１ｂは、両ＬＥＤ基板２２，２２を取付部材２１に取り付けた状態で、コネクタ２２４と取付部材２１の底面部２１１との間の絶縁距離を確保するためのものである。なお、上述したＬＥＤ基板２２は、例えば取付部材２１の底面部２１１の一部を切り起こすことで形成された係止爪（図示せず）により取付部材２１に固定される。
【００１７】
カバー部材２３は、拡散性を有する材料（例えば乳白色のアクリル樹脂）により上面（取付部材２１側の面）が開口する長尺状に形成され、左右方向（幅方向）において両端側から中央側に行くほど下側への突出量が大きくなるような凸レンズ形状の拡散面２３１を有している（図１参照）。このように、拡散面２３１の形状を上記形状とすることで、下側への突出量を等しくした場合に比べて各方向への配光量を略等しくすることができる。また、カバー部材２３の左右方向における両端部には、図１に示すように、光源ユニット２を器具本体１に取り付けた状態で、上下方向（器具本体１の長手方向及び幅方向と直交する方向）において器具本体１の収容凹部１１の開口端縁と重なる延出部２３２がそれぞれ設けられている。また、カバー部材２３の左右方向において各延出部２３２の内側には、上側（取付部材２１側）に突出する突壁部２３３がそれぞれ全長に亘って設けられており、各突壁部２３３の先端には内向きに突出する突起部２３３ａがそれぞれ設けられている。
【００１８】
電源装置２４は、電源基板２４１と、電源基板２４１を収納するための収納ケース２４２とを有する。電源基板２４１は、前後方向に長い矩形板状に形成されたプリント基板２４１ａからなり、このプリント基板２４１ａには、少なくともＬＥＤ２２２の点灯電力を生成するために必要な回路部品（例えばトランスやダイオード、コンデンサなど）２４１ｂが実装されている。収納ケース２４２は、図１に示すように、一面（取付部材２１の底面部２１１との対向面）が開口し且つ前後方向に長い矩形箱状の収納部２４２ａと、収納部２４２ａの開口端縁から側方（図１中の左側）に延出する第１延出部２４２ｂ、第１延出部２４２ｂの先端から上側（器具本体１側）に延出する第２延出部２４２ｃ、及び第２延出部２４２ｃと対向する収納部２４２ａの側面部２４２ｄで囲まれる空間からなる溝部２４２ｅとを有する。この溝部２４２ｅは、端子台ブロック２５から電源装置２４への電線や、電源装置２４からＬＥＤ基板２２への電線、隣接する照明器具Ａへの送り電線などを通すための配線スペースとして利用される。そして、この電源装置２４は、取付部材２１の底面部２１１と両側面部２１２，２１２とで囲まれる空間からなる収容部２１３に少なくとも一部が収容された状態で、例えばねじなどを用いて取付部材２１に取り付けられる。
【００１９】
端子台ブロック２５は、矩形箱状に形成された端子台２５１と、端子台２５１を取付部材２１に取り付けるための取付金具２５２とを有する。端子台２５１には、天井材１００を通して室内側（下側）に露出する電源線（図示せず）が接続されるとともに、電源装置２４との間を電気的に接続する電線（図示せず）が接続される。そして、この端子台ブロック２５は、少なくとも一部が収容部２１３に収容された状態で、例えばねじなどを用いて取付部材２１に取り付けられる。
【００２０】
次に、光源ユニット２の組立手順について説明する。まず最初に、作業者は、電源装置２４及び端子台ブロック２５をそれぞれ取付部材２１の上面側に取り付け、さらに電源装置２４と端子台ブロック２５の間を電線により接続する。その後、作業者は、上記係止爪によりＬＥＤ基板２２を取付部材２１の底面部２１１に固定し、さらにＬＥＤ基板２２のコネクタ２２３から導出する電線を取付部材２１の底面部２１１に設けた孔２１１ａに通した後、その端部を電源装置２４に接続する。そして最後に、作業者は、開口側を上向きにした状態でカバー部材２３を取付部材２１に組み付ける。このとき、カバー部材２３の各突壁部２３３にそれぞれ設けた突起部２３３ａが、取付部材２１の各側面部２１２にそれぞれ設けた傾斜部２１２ａと係合し、カバー部材２３が取付部材２１に取り付けられる。以上のような手順に従って、光源ユニット２が組み立てられる。なお、カバー部材２３を取付部材２１に取り付ける上記方法は一例であり、他の方法であってもよい。
【００２１】
続けて、照明器具Ａの施工手順について説明する。まず最初に、作業者は、室内側に露出する上記電源線を器具本体１に設けた孔１１１ａに通し、さらに天井材１００を通して室内側に露出する吊ボルト２００を孔１１１ｂに通した後、吊ボルト２００にナット３００をねじ込んで器具本体１を天井材１００に固定する。その後、作業者は、上記電源線を端子台２５１に接続し、少なくとも電源装置２４及び端子台ブロック２５が収容凹部１１に収容されるようにして、例えば器具本体１及び取付部材２１にそれぞれ設けた嵌合構造（図示せず）により光源ユニット２を器具本体１に取り付ける。以上のような手順に従って、照明器具Ａが天井に施工される。
【００２２】
ここで、図１は照明器具Ａを天井材１００に取り付けた状態の断面図であり、上下方向（器具本体１の長手方向及び幅方向と直交する方向）において、カバー部材２３の延出部２３２が器具本体１の収容凹部１１の開口端縁と重なっている。これにより、カバー部材２３と収容凹部１１との間に隙間が生じないので、光源ユニット２を点灯させた際にスジ状に暗くなることがなく、点灯時における見栄えを向上させた照明器具Ａを提供することができる。またこのとき、器具本体１に設けた両傾斜面１２，１２と、カバー部材２３の拡散面２３１とが連続しており、これにより器具本体１と光源ユニット２の一体性が高められ、意匠的に優れた照明器具Ａを提供することができる。ここに本実施形態では、拡散面２３１によりカバー部材の傾斜面が構成されている。
【００２３】
図５は本実施形態の照明器具Ａの別の例を示す断面図である。上述の実施例では、天井材１００に取り付けられる天井直付け型の照明器具について説明したが、本例のように、天井材１００に設けた埋込孔１００ａを通して天井裏に埋込配設される天井埋込型の照明器具であってもよい。
【００２４】
本例の照明器具Ａは、吊ボルト（図示せず）を用いて天井裏に配設される支持部材４と、支持部材４に取り付けられる反射板５と、反射板５に対して着脱自在に取り付けられる光源ユニット２とを備える。なお、光源ユニット２については上述の実施例と同様であり、ここでは説明を省略する。
【００２５】
反射板５は、板金に曲げ加工を施すことで長尺且つ下面が開口する扁平な箱状に形成され、反射板５の底面部には、光源ユニット２を収容するための矩形の収容凹部５１が反射板５の全長に亘って設けられている。また、反射板５の開口端縁には、側方に延出する鍔部５２が全周に亘って設けられており、天井裏に配設された支持部材４に反射板５を取り付けた状態では、鍔部５２が天井材１００の下面に当接する（図５参照）。ここに本例では、反射板５により器具本体が構成されている。
【００２６】
次に、照明器具Ａの施工手順について説明する。まず最初に、作業者は、天井材１００に設けた埋込孔１００ａを通して支持部材４を天井裏に配設し、天井裏に設けた吊ボルト（図示せず）に支持部材４を取り付ける。その後、作業者は、天井裏に配線された電源線（図示せず）を反射板５の収容凹部５１に設けた孔（図示せず）を通して室内側（下側）に引き出し、例えばねじなどを用いて反射板５を支持部材４に取り付ける。そして最後に、作業者は、上記電源線を端子台ブロック（図示せず）に接続し、少なくとも電源装置２４及び端子台ブロックが収容凹部５１に収容されるようにして、例えば反射板５及び取付部材２１にそれぞれ設けた嵌合構造（図示せず）により光源ユニット２を反射板５に取り付ける。以上のような手順に従って、照明器具Ａが天井裏に埋込配設される。
【００２７】
ここで、カバー部材２３の左右方向（幅方向）における両端部には延出部２３２がそれぞれ設けられており、光源ユニット２を反射板５に取り付けた状態では、上下方向において各延出部２３２が収容凹部５１の開口端縁とそれぞれ重なっている。これにより、カバー部材２３と収容凹部５１との間に隙間が生じないので、光源ユニット２を点灯させた際にスジ状に暗くなることがなく、点灯時における見栄えを向上させた照明器具Ａを提供することができる。
【符号の説明】
【００２８】
１  器具本体
２  光源ユニット
１１  収容凹部
２１  取付部材
２２  ＬＥＤ基板
２３  カバー部材
２２２  ＬＥＤ
２３２  延出部
Ａ  照明器具
【図１】
2014078422.tif 000003
【図２】
2014078422.tif 000004
【図３】
2014078422.tif 000005
【図４】
2014078422.tif 000006
【図５】
2014078422.tif 000007